(57)【特許請求の範囲】
【請求項１】
かまどとして使用可能な本体と、腰掛けとして使用することができるように、前記本体の上面に支持され、かつ前記本体をかまどとして使用する際に、薪として使用しうる可燃性材料よりなる上面材とを備え、
前記上面材を、薪として使用しうるに好適な寸法の複数の分割片に分割または分割可能とし、それらを、直接、または連結手段をもって互いに連結した状態で、前記本体に、着脱可能として取付けることを特徴とする屋外備品。
【請求項２】
前記本体は、左右１対の耐火性の側壁と、両側壁の上部間に架設され、かつ前記本体をかまどとして使用する際に、被加熱物を載置するグリルとなる横架材と、前記横架材の下方において、前記両側壁間に形成される燃焼室とを備えている請求項１記載の屋外備品。
【請求項３】
かまどとして使用可能な本体と、天板であって、物品支持面として使用することができるように、前記本体の上面に支持され、かつ前記本体をかまどとして使用する際に、薪として使用しうる可燃性材料よりなる上面材とを備えるとともに、前記上面材を、前記本体に着脱可能として取付け、
前記本体は、平面視において放射状に配設した３個以上の耐火性の側壁と、
互いに隣り合う両側壁の上部間に架設され、かつ前記本体をかまどとして使用する際に、被加熱物を載置するグリルとなる横架材と、前記横架材の下方において、前記両側壁間に形成される３個以上の燃焼室とを備え、
前記上面材を、薪として使用しうるに好適な寸法の複数の分割片に分割または分割可能とし、それらを、直接、または連結手段をもって互いに連結した状態で、前記本体に、着脱可能として取付けたことを特徴とする屋外備品。
【請求項４】
前記連結手段を、開口部が互いに前後に対向するようにした側面視コ字状の前後１対の枠杆を備えるものとし、前後の枠杆に、前後方向に向けた複数の分割片の前後の端部を嵌合して、複数の分割片を左右方向に並設し、最も外側の分割片を、前記枠杆に、着脱可能な固着手段をもって固着した請求項１記載の屋外備品。
【請求項５】
前記連結手段を、左右方向を向く前後１対の連結ロッドを備えるものとし、前後方向に向けた複数の分割片の前後部に設けた横孔に、前記連結ロッドを挿通させて、複数の分割片を左右方向に並設し、最も外側の分割片、またはその外側に配設した閉塞板を、前記連結ロッドの端部に、着脱可能な固着手段をもって固着した請求項１記載の屋外備品。
【請求項６】
前記上面材の上面または下面に、薪として使用するのに好適な寸法の分割片を区画する切込み溝を設け、この切込み溝に沿って、前記上面材を容易に分割可能とした請求項１〜３のいずれかに記載の屋外備品。
【発明の詳細な説明】
【技術分野】
【０００１】
本発明は、平常時には、屋外用のベンチ、椅子、テーブル、植え込み用の仕切り、モニュメント等として使用できるが、災害時等の非常時においては、可燃性部材を取外して、これを燃料とし、かまどとして使用することができるようになっている屋外備品に関する。
【背景技術】
【０００２】
従来のこの種の屋外備品としては、非常時には、着座部を基礎部分から取外して、基礎部分をかまどとして使用しうるようにした屋外用のベンチ(例えば特許文献１〜３参照)や、正面視下向コ字状をなすベンチを、後方に倒すことにより、かまどとして使用しうるようにしたもの(例えば特許文献４参照)、さらに、かまど部の上に取付けた座部を、かまど部から取外した後、その下面に付属の脚を取付けて、かまど使用時の補助椅子として使用できるようにしたベンチ(例えば特許文献５参照)等がある。
【先行技術文献】
【特許文献】
【０００３】
【特許文献１】特許第４４２０５５５号公報
【特許文献２】実用新案登録第３１３２３４４号公報
【特許文献３】特許第４３９７４２８号公報
【特許文献４】特開２０１３−２４４１７６号公報
【特許文献５】特開２０１３−２４４１７８号公報
【発明の概要】
【発明が解決しようとする課題】
【０００４】
特許文献１〜５に記載されているかまど兼用ベンチは、いずれも非常時にかまどとして使用できるものの、かまどとして使用する際に、燃料である薪を即座に入手することが困難なことが多く、迅速に対応できないことがある。
【０００５】
本発明は、従来の技術が有する上記のような問題点に鑑みてなされたもので、非常時等に、かまどとして使用する際に、構成部材の一部を、燃料として使用しうるようにすることにより、迅速な対応が図れるようにした屋外備品を提供することを目的としている。
【課題を解決するための手段】
【０００６】
本発明によると、上記課題は、次のようにして解決される。
（１）屋外備品を、かまどとして使用可能な本体と、腰掛けまたは物品支持面として使用することができるように、前記本体の上面に支持され、かつ前記本体をかまどとして使用する際に、薪として使用しうる可燃性材料よりなる上面材とを備えるものとする。
【０００７】
このような構成によると、平常時は、本体によって上面材を支持し、上面材上に着座したり、物品を載置して、屋外用のベンチ、椅子、テーブル、植え込みの仕切り、モニュメント等として使用でき、災害時等の非常時には、上面材を本体から取外して、本体をかまどとして使用しうるとともに、上面材を、かまどにくべる薪等の燃料として使用することができ、本来の燃料を入手するまでの急場を凌ぐことができる。
また、上面材として、間伐材を使用することができ、非常時のための訓練においても、上面材を実際に薪として燃焼させることにより、上面材を定期的に新調することができるとともに、間伐材の有効利用を図ることができる。
【０００８】
（２）上記(１)項において、前記本体は、左右１対の耐火性の側壁と、両側壁の上部間に架設され、かつ前記本体をかまどとして使用する際に、被加熱物を載置するグリルとなる横架材と、前記横架材の下方において、前記両側壁間に形成される燃焼室とを備えているものとする。
【０００９】
このような構成によると、グリルとなる横架材上に、被加熱物を載置し、燃焼室に、上面材により形成した薪等の燃料を入れて燃焼させることにより、被加熱物を加熱して調理することができる。
【００１０】
（３）上記(１)項において、前記本体は、平面視において放射状に配設した３個以上の耐火性の側壁と、左右に対向する１対の側壁の上部間に架設され、かつ前記本体をかまどとして使用する際に、被加熱物を載置するグリルとなる横架材と、前記横架材の下方において、前記両側壁間に形成される燃焼室とを備えているものとする。
【００１１】
このような構成によると、平面視円形または非円形とした本体の外周に沿って複数のかまどを形成することができ、各かまどに関して、上記(１)項または(２)項の発明と同様の効果を奏することができる。
【００１２】
（４）上記(１)〜(３)項のいずれかにおいて、前記上面材を、薪として使用しうるに好適な寸法の複数の分割片に分割し、それらを、直接、または連結手段をもって互いに連結した状態で、前記本体に、着脱可能として取付ける。
【００１３】
このような構成によると、上面材をかまど用の燃料として使用する際に、上面材を複数の分割片に分割して、それを、そのまま、かまどにくべることができ、上面材を切断工具等を用いて切断する必要がなく、非常時に、迅速に対応することができる。
【００１４】
（５）上記(４)項において、前記連結手段を、開口部が互いに前後に対向するようにした側面視コ字状の前後１対の枠杆を備えるものとし、前後の枠杆に、前後方向に向けた複数の分割片の前後の端部を嵌合して、複数の分割片を左右方向に並設し、最も外側の分割片を、前記枠杆に、着脱可能な固着手段をもって固着する。
【００１５】
このような構成によると、最も外側の分割片から固着手段を外すことにより、複数の分割片を、前後の枠杆から、簡単に分離することができる。
【００１６】
（６）上記(４)項において、前記連結手段を、左右方向を向く前後１対の連結ロッドを備えるものとし、前後方向に向けた複数の分割片の前後部に設けた横孔に、前記連結ロッドを挿通させて、複数の分割片を左右方向に並設し、最も外側の分割片、またはその外側に配設した閉塞板を、前記連結ロッドの端部に、着脱可能な固着手段をもって固着する。
【００１７】
このような構成によると、固着手段を、最も外側の分割片、またはその外側に配設した閉塞板から外すことにより、連結ロッドを複数の分割片の横孔から抜き出して、複数の分割片を、互いに簡単に分離することができる。
また、各分割片を薪として、かまどにくべた際に、それらの横孔が、燃焼空気のための通気口となり、分割片の燃焼効果を高めることができる。
【００１８】
（７）上記(１)〜(３)項のいずれかにおいて、前記上面材の上面または下面に、薪として使用しうるに好適な寸法の分割片を区画する切込み溝を設け、この切込み溝に沿って、前記上面材を容易に分割可能とする。
【００１９】
このような構成によると、上面材をかまど用の燃料として使用する際に、上面材を、切断工具を用いることなく、薪として使用しうるに好適な寸法の分割片に、軽力で、容易に分割することができる。
【発明の効果】
【００２０】
本発明によると、非常時に、かまどとして使用する際に、構成部材の一部を、燃料として使用しうるようにすることにより、迅速な対応が図れるようにした屋外備品を提供することができる。
【図面の簡単な説明】
【００２１】
【図１】本発明の屋外備品が、ベンチであるときの第１の実施形態を、右斜め前方より見た斜視図である。
【図２】同じく、分解斜視図である。
【図３】図１のIII−III線における拡大縦断側面図である。
【図４】本発明の屋外備品が、ベンチであるときの第２の実施形態を、右斜め前方より見た斜視図である。
【図５】同じく、分解斜視図である。
【図６】本発明の屋外備品が、ベンチであるときの第３の実施形態を、一部を分解して右斜め前方より見た斜視図である。
【図７】本発明の屋外備品が、ベンチであるときの第４の実施形態を、一部を分解して右斜め前方より見た斜視図である。
【図８】本発明の屋外備品が、ベンチであるときの第５の実施形態を、右斜め前方より見た分解斜視図である。
【図９】図８における上面材を、上下反転させて、その一部を切込み溝に沿って折曲した状態を示す斜視図である。
【図１０】図９における上面材の一部を切り取り、さらにその一部を、切込み溝に沿って折曲した状態を示す斜視図である。
【図１１】本発明の屋外備品が、テーブルである第６の実施形態を、前方より見た分解斜視図である。
【発明を実施するための形態】
【００２２】
以下、本発明の屋外備品の実施形態を、図面を参照して説明する。
図１〜図３は、本発明の屋外備品が、ベンチであるときの第１の実施形態を示す。
このベンチ１は、かまどとして機能しうる本体２と、この本体２の上面に支持されて、腰掛けとして使用することができ、かつ本体２をかまどとして使用する際に、取外して薪として使用しうる可燃性材料、例えば木材、チップボード等よりなる上面材である座板３とを備えている。
【００２３】
本体２は、耐火性の底板４と、その両側端より立設された左右１対の耐火性の側壁５、５と、両側壁５、５の上縁間に架設され、かつ本体２をかまどとして使用する際に、被加熱物６、６(図２における２点鎖線参照)を載置するグリル(五徳を含む)となる耐火性の横架材７と、この横架材７と底板４との間、かつ左右の側壁５、５の間に形成される燃焼室８とを備えている。
【００２４】
横架材７は、左右方向を向く前後１対の角管状の横杆９、９と、それらの間に左右方向に適宜の間隔をもって架設された前後方向を向く複数の中桟１０とを備えている。
中桟１０に代えて、網板、格子、または互いに平行をなす左右方向もしくは前後方向を向く複数のロッド(いずれも図示略)等とすることもできる。
【００２５】
座板３は、薪として使用するのに好適な形状寸法とした前後方向を向く複数の分割片１１を、左右方向に並べ、連結手段１２をもって互いに連結したもので、本体２に着脱可能として取付けられている。
【００２６】
連結手段１２は、この実施例では、端部に軸線と直交するピン孔１３を設けた左右方向を向く前後１対の連結ロッド１４、１４を備えるものとしてある。
【００２７】
図２および図３に示すように、各分割片１１(左右の最も外側の分割片１１ａは除く)の前後部には、左右方向を向く横孔１５、１５が設けられており、左右の最も外側の分割片１１ａにおける内側面には、外側方を向く前後１対の盲孔１５ａ、１５ａが設けられている。
また、各分割片１１ａには、各盲孔１５ａの中間部から下面まで垂下するピン挿入孔１６、１６と、下面における各ピン挿入孔１６の下端より互いに前後方向の内向きに延出する嵌合溝１７、１７とが設けられている。
さらに、各分割片１１ａの下面における前後のピン挿入孔１６、１６の下端より前後方向の外側の部分には、上方を向く雌ねじ孔１８、１８が設けられている。
【００２８】
各分割片１１を、その前後の横孔１５に連結ロッド１４を挿通して左右方向に並べ、左右の外側端における分割片１１ａの盲孔１５ａに、連結ロッド１４の各端部を嵌合した後、基端部を直角に折曲して折曲片１９ａとした抜け止めピン(固着手段)１９を、各ピン挿入孔１６に下方より挿入し、その先端部を連結ロッド１４のピン孔１３に嵌合することにより、連結ロッド１４を盲孔１５ａから抜け止めし、かつ抜け止めピン１９の折曲片１９ａを、嵌合溝１７に嵌合することにより、複数の分割片１１とその外側の分割片１１ａとが、連結手段１２によって互いに連結された平板状の座板３が形成されている。
【００２９】
座板３は、上記のようにして、複数の分割片１１と、その外側の分割片１１ａとを互いに連結した状態で、本体２上に載置し、かつ本体２における横杆９の各端部に設けた上下方向を向くねじ挿通孔２０に下方より挿通したユリアねじ２１の先端部を、分割片１１ａに設けた雌ねじ孔１８に螺合して締め付けることにより、本体２上に強固に取付けられている。
【００３０】
図３に示すように、座板３を本体２上に取付けたとき、抜け止めピン１９における折曲片１９ａの少なくとも一部が、横杆９の上面に当接し、抜け止めピン１９がピン挿入孔１６から落下するのを防止しうるようにしておくのが好ましい。
【００３１】
この状態では、ベンチ１は、座板３上に人が腰掛けることができ、ベンチとしての本来の機能を発揮することができる。
【００３２】
災害時等の非常時、その他所望の際には、ユリアねじ２１を緩めて、座板３を本体２から外した後、座板３における左右のいずれか一方の分割片１１ａの下面における抜け止めピン１９の折曲片１９ａを、嵌合溝１７から離脱させて、抜け止めピン１９を、連結ロッド１４のピン孔１３および分割片１１ａのピン挿入孔１６から抜き出す。
【００３３】
すると、その分割片１１ａ、続いて分割片１１を、前後の連結ロッド１４、１４から、１個ずつ、または複数個まとめて側方に引き出して、各分割片１１、１１ａを、互いに分離することができる。
【００３４】
次いで、本体２の横架材７をグリルとして、その上に、図２に２点鎖線で示すように、食品そのものである被加熱物６や、食品を鍋に入れた被加熱物６を載置し、燃焼室８内に、互いに分離した座板３の分割片１１、１１ａを、薪として供給し、それに点火することにより、被加熱物６、６を、加熱調理することができる。
【００３５】
したがって、非常時等に、燃料を急に入手できない場合でも、座板３を簡単に分離して、薪として使用し、急場を凌ぐことができる。
また、座板３として、間伐材を使用することができ、非常時のための訓練等においても、座板３を実際に薪として燃焼させることにより、上面材を定期的に新調することができるとともに、間伐材の有効利用を図ることができる。
しかも、座板３をかまど用の燃料として使用する際に、座板３を、薪として使用しうるに好適な寸法の複数の分割片１１、１１ａに簡単に分割して、かまどにくべることができるので、座板３を切断工具等を用いて切断する必要はなく、非常時に、迅速に対応することができる。
【００３６】
図４および図５は、本発明の屋外備品を、ベンチとしたときの第２の実施形態を示す。なお、第１の実施形態におけるのと同一または類似の部材には、同一の符号を付して図示するに止め、それらについての詳細な説明は省略する(第３以後の実施形態においても同様とする)。
【００３７】
第２の実施形態においては、第１の実施形態における最も外側の分割片１１ａに代えて、前後部にねじ挿通孔３０、３０を設けた閉塞板３１を、最も外側の分割片１１の外側に配設し、各ねじ挿通孔３０に挿通した、着脱可能な固着手段をなす締付ねじ３２を、各連結ロッド１４の端部に設けた雌ねじ孔３３に螺合して締め付けることにより、左右の閉塞板３１、３１間に、複数の分割片１１を挟んで、それらを、連結ロッド１４と締付ねじ３２とかなる連結手段１２をもって締め付けることにより、上面材をなす座板３を形成してある。
【００３８】
また、グリルをなす横架材７を、左右の側壁５、５の上端より、座板３の厚さ分だけ下位の部分に固着し、上記のようにして形成した座板３を、左右の側壁５、５の上端部間に挟まれるようにして横架材７上に載置し、第１の実施形態におけるのと同様に、本体２における横杆９の各端部に設けた上下方向を向くねじ挿通孔２０に下方より挿通させたユリアねじ２１の先端部を、最も外側の分割片１１に設けた雌ねじ孔(図示略)に螺合して締め付けることにより、本体２上に強固に取付けてある。
【００３９】
第２の実施形態においては、第１の実施形態におけるのと同様の効果を奏することができるだけでなく、分割片１１を、すべて同一形状とすることができ、かつ、連結手段１２の構造および連結作業を簡素化することができるという効果を奏することができる。
また、座板３の両端部を、左右の側壁５、５の上端部により防護することができる。
【００４０】
図６は、本発明の屋外備品を、ベンチとしたときの第３の実施形態を示す。
第３の実施形態においては、連結手段１２を、開口部が互いに前後に対向するようにした側面視コ字状の前後１対の枠杆４０、４１を備えるものとし、前後の枠杆４０、４１に、前後方向に向けた複数の分割片４２の前後の端部を嵌合して、複数の分割片４２を左右方向に並設し、着脱可能な固着手段をなす上下方向を向く締付ねじ４３を、枠杆４０、４１の両端部に設けたねじ挿通孔４４、４４、および最も外側の分割片４２の前後の端部に設けたねじ挿通孔４５、４５を上下方向に貫通させて、左右の側壁５、５の上端における前後部に設けた下方を向くねじ孔(図示略)に螺合させて締め付けてある。
【００４１】
各分割片４２の前後の端部における上下面には、断面コ字状をなす前後の枠杆４０、４１の板厚に相当する段状の切欠き４６を設けることにより、各分割片４２の前後の端部を薄肉とし、その薄肉部分を枠杆４０、４１に嵌合することにより、枠杆４０、４１の上面と、その間における各分割片４２の上面とがほぼ整合するようにしてある。
【００４２】
このような構成によると、固着手段をなす四隅の締付ねじ４３を、各枠杆４０、４１から外すことにより、座板３を、本体２から外すことができるのと同時に、前後の枠杆４０、４１と全分割片４２を簡単に分離することができる。
【００４３】
なお、最も外側の分割片４２と前後の枠杆４０、４１とを固着する手段と、座板３を本体２に固着する手段とを別々に設け、後者を外すことにより、座板３を、一体として本体２から外すことができるようにしてもよい。
また、前後の枠杆４０、４１を、耐火性の材料により形成し、これを本体２に予め固着しておくことにより、枠杆４０、４１を、横架材７の一部とすることもできる。
【００４４】
第３の実施形態においては、第１の実施形態におけるのと同様の効果を奏することができる他に、前後の枠杆４０、４１により、各分割片４２の前後の端部を防護することができるという効果を奏することもできる。
【００４５】
図７は、本発明の屋外備品を、ベンチとしたときの第４の実施形態を示す。
第４の実施形態においては、各分割片１１の下面における前後の端部に、第１の実施形態における雌ねじ孔１８と同様の雌ねじ孔４７、４７をそれぞれ設け、本体２における横杆９に左右方向に並べて設けた上下方向を向くねじ挿通孔４８に下方より挿通させたユリアねじ４９の先端部を、各雌ねじ孔４７に螺合して締め付けることにより、各分割片１１を、互いに独立して、直接本体２上に強固に取付けてある。
【００４６】
このような構成によっても、第１の実施形態におけるのと同様の効果を奏することができるとともに、ベンチ全体の構造を簡素化することができる。
【００４７】
図８〜図１０は、本発明の屋外備品を、ベンチとしたときの第５の実施形態を示す。
第５の実施形態においては、第１の実施形態における底板４を省略し、本体２を、左右１対の耐火性の側壁５、５と、両側壁５、５の上部間に架設され、かつ本体２をかまどとして使用する際に、被加熱物(図示略)を載置するグリルとなる耐火性の横架材７と、この横架材７の下方において、左右の側壁５、５の間に形成される燃焼室８とを備えるものとしてある。
【００４８】
グリルをなす横架材７の左右の端部は、第２の実施形態におけるのと同様に、左右の側壁５、５の上端より、上面材をなす後述する座板５０の厚さ分だけ下位の部分に固着し、座板５０を、左右の側壁５、５の上端部間に挟まれるようにして横架材７上に載置し、座板５０の四隅に設けたねじ挿通孔５１に挿通した締付ねじ５２を、横架材７における前後の横杆９、９の両側部に設けた雌ねじ孔５３に螺合して締め付けることにより、座板５０を、本体２に取付けるようにしてある。
【００４９】
座板５０は、横長の方形とし、その上面は平滑面とし、かつ下面には、図９に示すように、薪として使用しうるに好適な寸法の分割片５４を区画する切込み溝５５を設け、この切込み溝５５に沿って、座板５０を容易に分割可能としてある。
なお、座板５０の上面に切込み溝５５を設け、かつ座板５０の下面を平滑面とすることもある。
【００５０】
切込み溝５５は、座板５０の長手方向を向く互いに平行な複数の縦溝５５ａと、それと直交する方向を向く互いに平行な複数の横溝５５ｂとからなるものとしてある。
【００５１】
第５の実施形態においては、締付ねじ５２を座板５０から外して、座板５０を本体２から取外し、図９に示すように、座板５０を上下反転させて、その一部を、横溝５５ｂに沿って折り曲げて、切断した後、その一部を、図１０に示すように、さらに縦溝５５ａに沿って折り曲げることにより、分割片５４をそれぞれ１個ずつ簡単に折り取ることができる。
したがって、座板５０を、切断工具を用いることなく、薪として使用しうるに好適な寸法の分割片５４に、軽力で、容易に分割することができる。
その他の構成および効果は、第１の実施形態におけるのと同様である。
【００５２】
図１１は、本発明の屋外備品を、屋外用のテーブル６０としたときの第６の実施形態を示す。
第６の実施形態においては、テーブル６０の本体６１を、平面視において放射状に配設した４個(３個以上)の耐火性の側壁６２と、左右に対向する１対の側壁６２、６２の上部間に架設され、かつ本体６１をかまどとして使用する際に、被加熱物(図示略)を載置するグリルとなる横架材６３と、横架材６３の下方において、両側壁６２、６２間に形成される燃焼室６４とを備える平面視ほぼ円形のものとしてある。
図１１に示す例においては、本体６１によって、前方、後方、および左右の両側方を向く４個のかまどが形成されるようになっている。
【００５３】
この本体６１の上面には、本体６１をかまどとして使用する際に、薪として使用可能な可燃性材料よりなる円形の天板６５が、各横架材６３の両側部に設けたねじ挿通孔６６に下方より挿通させたユリアねじ６７の上端部を、天板６５の下面に設けた上方を向く雌ねじ孔(図示略)に螺合させて締め付けることにより、強固に取付けられている。天板６５の外径は、本体６１の外径より大としてあるが、同径としてもよい。
【００５４】
天板６５は、本体６１の上面に支持されることにより、上面を物品支持面として使用できるようにした上面板（上面材）をなしている。
また、天板６５の上面には、薪として使用しうるに好適な寸法の分割片６８を区画する切込み溝６９が設けられており、この切込み溝６９に沿って、天板６５を容易に分割可能としてある。
【００５５】
第６の実施形態においては、平面視円形とした本体６１の外周に沿って複数のかまどを形成することができ、非常時に、同時に大量の加熱調理を行うことができる。
また、第１および第５の実施形態におけるのと同様の効果をも奏することができる。
【００５６】
なお、天板６５は、上面を平滑面とし、下面に切込み溝６９を設けてもよい。
また、天板６５および本体６１は、平面視円形だけでなく、楕円形、多角形その他の非円形とすることもできる。
【００５７】
本発明は、上記実施形態のみに限定されるものではなく、特許請求の範囲を逸脱することなく、例えば、次のような幾多の変形した態様での実施が可能である。
(１)  本体２における燃焼室８の後方の開口部を、閉塞板(図示略)をもって閉塞する。
(２)  平常時は、燃焼室８内に、鍋その他の非常時用の調理器具を収容しておく。
この場合、燃焼室８の前方および後方の開口部を、開閉可能な閉塞板(図示略)をもって閉塞し、鍵が掛かるようにしておくのが好ましい。
(３)  分割片１１、１１ａ、４２、５４、６６を、互いに異なる色に着色し、例えば、ベンチ１おいては、色彩によって一人分の着座領域を示すようにする。
(４)  底板４上に火格子(図示略)を設けるか、底板４を二重構造とし、上層を火格子とする。
【符号の説明】
【００５８】
１  ベンチ(屋外備品)
２  本体
３  座板(上面材)
４  底板
５  側壁
６  被加熱物
７  横架材(グリル)
８  燃焼室
９  横杆
１０  中桟
１１、１１ａ  分割片
１２  連結手段
１３  ピン孔
１４  連結ロッド
１５  横孔
１５ａ盲孔
１６  ピン挿入孔
１７  嵌合溝
１８  雌ねじ孔
１９  抜け止めピン(固着手段)
１９ａ折曲片
２０  ねじ挿通孔
２１  ユリアねじ
３０  ねじ挿通孔
３１  閉塞板
３２  締付ねじ(固着手段)
３３  雌ねじ孔
４０、４１  枠杆
４２  分割片
４３  締付ねじ(固着手段)
４４、４５  ねじ挿通孔
４６  切欠き
５０  座板(上面材)
５１  ねじ挿通孔
５２  締付ねじ
５３  雌ねじ孔
５４  分割片
５５  切込み溝
５５ａ縦溝
５５ｂ横溝
６０  テーブル
６１  本体
６２  側壁
６３  横架材
６４  燃焼室
６５  天板(上面板、上面材)
６６  ねじ挿通孔
６７  ユリアねじ
６８  分割片
６９  切込み溝
【図１】
0006750934.tif 000002
【図２】
0006750934.tif 000003
【図３】
0006750934.tif 000004
【図４】
0006750934.tif 000005
【図５】
0006750934.tif 000006
【図６】
0006750934.tif 000007
【図７】
0006750934.tif 000008
【図８】
0006750934.tif 000009
【図９】
0006750934.tif 000010
【図１０】
0006750934.tif 000011
【図１１】
0006750934.tif 000012